(57)【要約】  メインシステムと追加システムを１つのアンテナを利用して共用化するための無線通信基地局共用化装置であって、第１信号の合成／分配器はメインシステムと第１ポートを通じて連結され、第１ポートを通じて入力された信号を分配して第２ポート及び第３ポートに出力し、第２ポート及び第３ポートを通じて入力された信号を該当位相によって合成して第１ポートまたは第４ポートに出力する。第２信号の合成／分配器は、追加システムと第５ポートを通じて連結され、アンテナと第８ポートを通じて連結され、第５ポートを通じて入力された信号を分配して第６ポート及び第７ポートに出力し、第６ポート及び第７ポートを通じて入力された信号を該当位相によって合成して第５ポートまたは第８ポートに出力する。第１及び第２フィルタ部は、第１及び第２信号の合成／分配器の間の信号経路に設置される。
2008526155.tif 000002
【特許請求の範囲】
【請求項１】
メインシステムと追加システムを１つのアンテナを利用して共用化するための無線通信基地局共用化装置であって、
前記メインシステム用デュプレクサの送受信信号ラインと第１ポートを通じて連結され、前記第１ポートを通じて入力された信号を分配して第２ポート及び第３ポートに出力し、前記第２ポート及び第３ポートを通じて入力された信号を該当位相によって合成して前記第１ポートまたは第４ポートに出力する第１信号の合成／分配器と、
前記追加システム用デュプレクサの送受信信号ラインと第５ポートを通じて連結され、前記アンテナと第８ポートを通じて連結され、前記第５ポートを通じて入力された信号を分配して第６ポート及び第７ポートに出力し、前記第６ポート及び第７ポートを通じて入力された信号を該当位相によって合成して前記第５ポートまたは前記第８ポートに出力する第２信号の合成／分配器と、
前記第１信号の合成／分配器の第２ポートと前記第２信号の合成／分配器の第６ポートとの間の信号経路に設置される第１フィルタ部と、
前記第１信号の合成／分配器の第３ポートと前記第２信号の合成／分配器の第７ポートとの間の信号経路に設置される第２フィルタ部と
を含むことを特徴とする基地局共用化装置。
【請求項２】
前記第１、第２信号の合成／分配器はハイブリッドカプラで構成し、
前記第１、第２フィルタ部は、前記メインシステムの送受信周波数帯域を通過させるデュプレクサで構成することを特徴とする請求項１記載の基地局共用化装置。
【請求項３】
前記第１、第２信号の合成／分配器はマジックＴで構成し、
前記第１、第２フィルタ部は、前記メインシステムの送受信周波数帯域を通過させるデュプレクサで構成し、
前記第１フィルタ部と前記第１信号の合成／分配器の第２ポートとの間の信号経路に設置される第１位相可変器と、
前記第１フィルタ部と前記第２信号の合成／分配器の第６ポートとの間の信号経路に設置される第２位相可変器と
を更に備えることを特徴とする請求項１記載の基地局共用化装置。
【請求項４】
前記第１信号の合成／分配器の第４ポートは、アイソレーション機能を有するようにするためのロード抵抗が取付けられることを特徴とする請求項１乃至３のうち、いずれか１項記載の基地局共用化装置。
【請求項５】
前記第１、第２信号の合成／分配器は、ハイブリッドカプラで構成し、
前記第１、第２フィルタ部は、前記メインシステムの送信周波数帯域を通過させる帯域通過フィルタで構成し、
前記追加システム用デュプレクサの受信部で受信した信号を分配する分配器と、
前記分配器の一側分配信号をフィルタリングして前記第１信号の合成／分配器の第４ポートに提供する受信フィルタを更に備えることを特徴とする請求項１記載の基地局共用化装置。
【請求項６】
前記第１、第２信号の合成／分配器はマジックＴで構成し、
前記第１、第２フィルタ部は、前記メインシステムの送信周波数帯域を通過させる帯域通過フィルタで構成し、
前記第１フィルタ部と前記第１信号の合成／分配器の第２ポートとの間の信号経路に設置される第１位相可変器と、
前記第１フィルタ部と前記第２信号の合成／分配器の第６ポートとの間の信号経路に設置される第２位相可変器と、
前記追加システム用デュプレクサの受信部から受信した信号を分配する分配器と、
前記分配器の一側分配信号をフィルタリングして前記第１信号の合成／分配器の第４ポートに提供する受信フィルタと
を更に備えることを特徴とする請求項１記載の基地局共用化装置。
【請求項７】
前記受信フィルタと前記第１信号の合成／分配器の第４ポートの信号経路にアイソレーション機能を有するようにするためのサーキュレータが更に備えられることを特徴とする請求項５または６記載の基地局共用化装置。
【請求項８】
前記第１、第２信号の合成／分配器はマジックＴで構成し、
前記第１、第２フィルタ部は、前記メインシステムの送信周波数帯域を通過させる帯域通過フィルタで構成し、
前記第２フィルタ部と前記第１信号の合成／分配器の第３ポートとの間の信号経路に設置される第１位相可変器と、
前記第１フィルタ部と前記第２信号の合成／分配器の第６ポートとの間の信号経路に設置される第２位相可変器と、
前記追加システム用デュプレクサの受信部から受信した信号を分配する分配器と、
前記分配器の一側分配信号をフィルタリングして前記第１信号の合成／分配器の第４ポートに提供する受信フィルタを更に備えることを特徴とする請求項１記載の基地局共用化装置。
【請求項９】
前記受信フィルタと前記第１信号の合成／分配器の第４ポートの信号経路にアイソレーション機能を有するようにするためのサーキュレータが更に備えられることを特徴とする請求項８記載の基地局共用化装置。
【請求項１０】
メインシステムと追加システムを１つのアンテナを利用して共用化するための無線通信基地局共用化装置であって、
前記メインシステム用デュプレクサの送受信信号ラインと４番ポートを通じて連結され、前記４番ポートを通じて入力された信号を分配して同位相状態で２番ポート及び３番ポートに出力し、前記２番ポート及び３番ポートを通じて入力された信号を該当位相によって合成して前記第１ポートまたは第４ポートに出力する第１マジックＴと、
前記追加システム用デュプレクサの送受信信号ラインと５番ポートを通じて連結され、前記アンテナと８番ポートを通じて連結され、前記５番ポートを通じて入力された信号を分配して同位状態で６番ポート及び７番ポートに出力し、前記６番ポート及び７番ポートを通じて入力された信号を該当位相によって合成して前記５番ポート、または前記８番ポートに出力する第２マジックＴと、
前記第１マジックＴの２番ポートと前記第２マジックＴの６番ポートとの間の信号経路に設置され、前記メインシステムの送信周波数帯域を通過させる第１帯域通過フィルタと、
前記第１マジックＴの３番ポートと前記第２信号の合成／分配器の７番ポートとの間の信号経路に設置され、前記メインシステムの送信周波数帯域を通過させる第２帯域通過フィルタと、
前記第２帯域通過フィルタと前記第１マジックＴの３番ポートとの間の信号経路に設置される第１位相可変器と、
前記第１帯域通過フィルタと前記第２マジックＴの６番ポートとの間の信号経路に設置される第２位相可変器と、
前記追加システム用デュプレクサの受信部から受信した信号を分配する分配器と、
前記分配器の一側分配信号をフィルタリングする受信フィルタと、
前記受信フィルタのフィルタリングされた信号を前記第１マジックＴの１番ポートに提供するサーキュレータと
を含むことを特徴とする基地局共用化装置。
【請求項１１】
前記第１、第２フィルタ部は、周波数帯域可変フィルタであることを特徴とする請求項１、２、３、５、６、８、及び１０のうち、いずれか１項に記載の基地局共用化装置。
【発明の詳細な説明】
【技術分野】
【０００１】
本発明は、無線通信システムに関し、特に互いに異なる周波数帯域のサービスを行う無線通信システム構成の際、アンテナ及びフィーダーケーブルを共用に使用することができるようにするための無線通信基地局共用化装置に関する。
【背景技術】
【０００２】
図１Ａ、図１Ｂ、図１Ｃに示すように、セルラー、ＣＤＭＡ、ＰＣＳ、ＧＳＭ等、移動通信システムとその他の無線通信システムは、一般的に複数の事業者がサービスをしており、各事業者毎に個別的に独立した基地局１０、１２を設置してサービスを提供している。したがって、個別基地局設置に従う重複過剰投資と隣接した地域に基地局が余計に多く設置されて、これらの相互干渉による伝播品質の低下などの問題点が発生している。
【０００３】
また、最近は、ある事業者が他の事業者を吸収統合して、他の事業者が使用していた周波数帯域を統合管理しながらサービスしなければならない状況が発生することもある。このような場合、費用の低減のために、既存システムと新しく追加されるシステムを単一化して共用化する必要性がある。外国の場合は、ある事業者が地域によって他の帯域の周波数を割り当てられる場合もある。このような場合には、地域別に周波数帯域の異なる基地局システムを具備しなければならない。
【０００４】
このような問題点のために、基地局共用化に対する技術が開発されているが、その中で、従来に実施されている技術は、図１Ｃに示すように、既存の基地局システム（例えば、Ａシステム１０）と追加される基地局システム（例えば、Ｂシステム１２）の周波数帯域を含むクァドロプレクサ（Quadroplexer）１３２を新しく製作して基地局アンテナとフィーダーケーブルを共用に使用するものである。
【０００５】
しかしながら、このような技術は、２つのシステムがアンテナ及びフィーダーケーブルを共用に使用することができるクァドロプレクサを新しく作らなければならない問題点があった。しかも、地域毎に事業者が割り当てを受けた周波数帯域が異なる場合には多くの種類のクァドロプレクサを新しく製作しなければならないという問題点があった。しかも、共用に使用する中に、他の追加システムの周波数帯域に変わる場合も発生するが、この時もやはり新しくクァドロプレクサを製作しなければならないという問題点があった。また、追加されるシステムの個数が多数個の場合には、多数個の新しいクァドロプレクサを製作しなければならないという問題点があった。
【０００６】
このように、従来には既存の基地局システムに追加の基地局システムを設置する際、アンテナ及びフィーダーケーブルを共用化するためには新たなクァドロプレクサを製作しなければならないので、製作費用及び製品管理費用が高まる問題点があった。
【発明の開示】
【発明が解決しようとする課題】
【０００７】
本発明の目的は、上記のような問題点を解決するために発案したものであって、既存の基地局システムに新たな基地局システムを追加しながら、基地局アンテナ及びフィーダーケーブルを共用に使用しようとする際、追加される基地局システムの周波数帯域に関わらず、容易に共用化できる無線通信基地局共用化装置を提供することにある。
【０００８】
本発明の他の目的は、既存の基地局システム及び追加される基地局システムの周波数帯域が全て可変されても別途の追加装備なしでも、基地局アンテナ及びフィーダーケーブルを共用に使用できるようにした無線通信基地局共用化装置を提供することにある。
【０００９】
本発明の更に他の目的は、追加される基地局システムの個数が多数個の場合にも容易にアンテナ及びフィーダーケーブルを共用に使用できるようにした無線通信基地局共用化装置を提供することにある。
【課題を解決するための手段】
【００１０】
前述した目的を達成するために、本発明は、メインシステムと追加システムを１つのアンテナを利用して共用化するための無線通信基地局共用化装置であって、メインシステム用デュプレクサの送受信信号ラインと第１ポートを通じて連結され、第１ポートを通じて入力された信号を分配して第２ポート及び第３ポートに出力し、第２ポート及び第３ポートを通じて入力された信号を該当位相によって合成して第１ポートまたは第４ポートに出力する第１信号の合成／分配器と、追加システム用デュプレクサの送受信信号ラインと第５ポートを通じて連結され、アンテナと第８ポートを通じて連結され、第５ポートを通じて入力された信号を分配して第６ポート及び第７ポートに出力し、第６ポート及び第７ポートを通じて入力された信号を該当位相によって合成し、第５ポートまたは第８ポートに出力する第２信号の合成／分配器と、第１信号の合成／分配器の第２ポートと第２信号の合成／分配器の第６ポートとの間の信号経路に設置される第１フィルタ部と、第１信号の合成／分配器の第３ポートと第２信号の合成／分配器の第７ポートとの間の信号経路に設置される第２フィルタ部とを含むことを特徴とする。
【発明の効果】
【００１１】
本発明に係る無線通信基地局共用化装置は、既存の基地局システムに異なる周波数帯域の基地局システムを追加しながらアンテナ及びフィーダーケーブルを共用に使用しようとする時に本発明の装置を使用すれば、容易にアンテナ及びフィーダーケーブルを共用に使用することができる効果がある。また、追加されるシステムの周波数帯域がどんなものでも関係なく、共用に使用することができる効果がある。また、追加されるシステムの個数が多数個になっても簡単に構成することができる。また、既存のシステムと追加のシステムの周波数帯域がどんな帯域でも対応することができる効果がある。特に、周波数帯域可変フィルタが適用された場合、種々の周波数の組合に対して１つのモデルに対応可能であるので、種々のモデルを開発しなくてもよい。また、製品の単納期が可能であり、種々のモデル生産に伴う管理費用を低減することができ、大量生産可能になるので、製造コストを低減することができる。そして、フィールドに設置された状態で周波数帯域可変が可能であるので、事業者間、または地域間の周波数変化にも直ちに対応することができ、従来の方法に比べて撤去及び再設置過程がないので、それにかかる費用を低減することができる効果がある。
【発明を実施するための最良の形態】
【００１２】
以下、本発明に係る好ましい実施形態を添付した図面を参照しつつ詳細に説明する。下記の説明では具体的な構成素子などのような特定事項が表れているが、これは本発明のより全般的な理解を助けるために提供されたものであり、このような特定事項が本発明の範囲内で所定の変形や変更が可能であるということは、この技術分野で通常の知識を有する者には自明であるはずである。
【００１３】
図２は、本発明の第１実施形態を示すブロック構成図であって、図２に示すように、本発明の第１実施形態に係る無線通信基地局共用化装置２０は、第３デュプレクサ２２２を含むメインシステム２２と、第４デュプレクサ２４２を含む追加システム２４のアンテナを共用化するための構成を有する。このような基地局共用化装置２０は、第３デュプレクサを含むメインシステムと、第４デュプレクサを含む追加システムと、１番ポートに入力されるメインシステム２２の送信信号を分配して互いに異なる位相差で出力する第１ハイブリッドカプラ２０２と、第１ハイブリッドカプラ２０２の２番ポートと連結されてメインシステム２２の送受信信号（Ｔｘ１、Ｒｘ１）をフィルタリングして出力する第１デュプレクサ２０６と、第１ハイブリッドカプラ２０２の３番ポートと連結されてメインシステム２２の送受信信号（Ｔｘ１、Ｒｘ１）をフィルタリングして出力する第２デュプレクサ２０８と、第１及び第２デュプレクサ２０６、２０８からの出力信号を６番ポート及び７番ポートに入力されて、これを合成して出力し、５番ポートは追加システムと連結された第２ハイブリッドカプラ２０４で構成する。
【００１４】
アンテナは第２ハイブリッドカプラ２０４の８番ポートと連結される。第１及び第２デュプレクサ２０６、２０８は、メインシステム２２の送受信周波数帯域のみを通過させるフィルタで構成する。この際、メインシステム２２と追加システム２４の位置を変えれば、第１及び第２デュプレクサ２０６、２０８は、追加システム２４の送受信周波数のみを通過させるフィルタで構成することができる。第３、第４デュプレクサ２２２、２４２は、フル帯域デュプレクサで構成される。
【００１５】
以下、動作を説明すれば次の通りである。まず、ハイブリッドカプラの概略的な動作を図３を参照して説明すれば、次の通りである。ハイブリッドカプラの特徴は、特定信号電力を一部抽出する機能と１つの信号電力を２つ以上の特定信号電力に分配する機能があるが、本発明では特定信号電力の分配機能を説明する。１番ポートに信号が入力されれば、その信号は電力が半に分配されて２番、３番ポートに出力され、４番ポートには出力されない。出力された信号は９０度の位相差を持って出力される。逆に、２番、３番ポートに９０度の位相差がある信号が入力されれば、その信号は合成されて出力される。
【００１６】
より詳細に説明すれば、２番ポートに入力される信号の位相が９０度、３番ポートに入力される信号の位相が１８０度である場合には、２つの信号は合成されて１番ポートに出力され、４番ポートには出力されない。
【００１７】
逆に、２番ポートに入力される信号の位相が１８０度、３番ポートに入力される信号の位相が９０度である場合には、２つの信号は合成されて４番ポートに出力され、１番ポートには出力されない。このように、信号電力を分配／合成の機能をする部品としては、ハイブリッドリング、ブランチライン方向性カプラ、３ｄＢ方向性カプラ、マジックＴなどがある。
【００１８】
（メインシステムの送信過程）
メインシステム２２の送信信号（ＴＸ１）が第３デュプレクサ２２２を通過して第１ハイブリッドカプラ２０２の１番ポートに入力されれば、その信号は２番、３番ポートに分配されて表れるが、２番ポートには９０度、３番ポートには１８０度位相可変されて出力される。即ち、９０度の位相差を持って出力される。上記２番、３番ポートの出力信号は、メインシステム２２の送信信号（Ｔｘ１）のみを通過させる第１及び第２デュプレクサ２０６、２０８を通過して第２ハイブリッドカプラ２０４の６番、７番ポートに入力される。上記第２ハイブリッドカプラの６番、７番ポートを通じて入力された信号は、互いに合成されて８番ポートを通じて出力されてアンテナを介して放射される。
【００１９】
（メインシステムの受信過程）
アンテナから受信された信号は、第２ハイブリッドカプラ２０４の８番ポートに入力されて６番、７番ポートに分配されて出力される。この際、７番ポートは９０度、６番ポートは１８０度位相可変されて出力される。即ち、９０度の位相差を持って出力される。上記６番、７番ポートを通じて出力された信号は、第１及び第２デュプレクサ２０６、２０８を通過して第１ハイブリッドカプラ２０２の２番、３番ポートに入力される。上記第１ハイブリッドカプラ２０２の２番、３番ポートを通じて入力された信号は、互いに合成されて１番ポートを通じて出力され、その出力信号は、第３デュプレクサ２２２を通じてメインシステム２２に受信される。
【００２０】
（追加システムの送信過程）
追加システム２４の送信信号（ＴＸ２）は、第４デュプレクサ２４２を通過して第２ハイブリッドカプラ２０４の５番ポートに入力される。上記５番ポートに入力された信号は分配されて６番、７番ポートに出力される。この際、６番ポートには９０度、７番ポートには１８０度位相可変されて出力される。即ち、９０度の位相差を持って出力される。上記６番、７番ポートを通じて出力された信号は、第１及び第２デュプレクサ２０６、２０８を通過できないし、全反射されて、また６番、７番ポートに入力される。上記６番、７番ポートに入力された信号は互いに合成されて８番ポートに出力され、アンテナを介して放射される。
【００２１】
（追加システムの受信過程）
アンテナから受信された信号は、第２ハイブリッドカプラ２０４の８番ポートに入力されて６番、７番ポートに分配されて出力される。この際、６番ポートは１８０度、７番ポートは９０度位相可変されて出力される。即ち、９０度の位相差を持って出力される。上記６番、７番ポートを通じて出力された信号は、第１及び第２デュプレクサ２０６、２０８を通過できないし、全反射されて、また６番、７番ポートに入力される。上記６番、７番ポートに入力された信号は互いに合成されて５番ポートを通じて出力される。上記５番ポートを通じて出力された受信信号は、第４デュプレクサ２４２を通じて追加システム２４の受信段に受信される。
【００２２】
一方、メインシステム２２の送信信号（Ｔｘ１）が第１ハイブリッドカプラ２０２を通じて出力される際、理論的には反射される信号がないので、４番ポートを通じては信号の出力があってはいけないが、実際には微弱でも４番ポートを通じて出力される送信信号（Ｔｘ１）が存在するため、これを防止するためにロード抵抗（TERM）を４番ポートに装着してアイソレーション機能を有するように構成する。
【００２３】
図４は、本発明の第２実施形態を示すブロック構成図であって、これに図示したように、本発明の第２実施形態に係る無線通信基地局共用化装置４０は、第３デュプレクサを含むメインシステムと、第４デュプレクサを含む追加システムと、１番ポートに入力されるメインシステム２２の第３デュプレクサ２２２の送信信号を分配して互いに異なる位相差で出力する第１マジックＴ４０２と、第１マジックＴ４０２の２番ポートの出力信号を入力されて、その位相を可変して出力する第１位相可変器４１２と、第１位相可変器４１２の出力信号をフィルタリングして出力する第１デュプレクサ４０６と、第１デュプレクサ４０６の出力信号の位相を可変する第２位相可変器４１４と、第１マジックＴ４０２の３番ポートの出力信号を入力されて、これをフィルタリングして出力する第２デュプレクサ４０８と、第２位相可変器４１４と第２デュプレクサ４０８から出力信号を６番ポート、７番ポートに入力されて、これを合成して出力し、５番ポートは追加システム２４の第４デュプレクサ２４２と連結されている第２マジックＴ４０４で構成する。
【００２４】
アンテナは、第２マジックＴ４０４の８番ポートと連結される。第１及び第２デュプレクサ４０６、４０８は、メインシステム２２の送受信周波数帯域のみを通過させるデュプレクサで構成する。この際、メインシステム２２と追加システム２４の位置を変えれば、第１及び第２デュプレクサ４０６、４０８は、追加システムの送受信周波数のみを通過させるフィルタで構成することができる。第３、第４デュプレクサ２２２、２４２は、フル帯域デュプレクサで構成される。
【００２５】
以下、動作を説明すれば次の通りである。マジックＴの基本動作を図５を参照して説明すれば、次の通りである。１番ポートに信号が入力されれば、その信号は分配されて２番、３番ポートに出力されるが、１８０度の位相差を持って出力される。しかしながら、４番ポートに信号が入力されれば、その信号は分配されて２番、３番ポートに出力されるが、同一な位相で出力される
【００２６】
逆に、２番、３番ポートに位相差が１８０度の差がある同一周波数が入力されれば、その信号は合成されて１番ポートに出力され、同一な位相の信号が入力されれば、合成されて４番ポートに出力される。
【００２７】
（メインシステムの送信過程）
メインシステム２２の送信信号（ＴＸ１）は、第３デュプレックス２２２を通じて第１マジックＴ４０２の１番ポートに入力される。１番ポートに入力された信号は、２つの信号に分配されて２番、３番ポートを通じて出力されるが、互いに１８０度の位相差を持って出力される。３番ポートを通じて出力された信号は、第２デュプレクサ４０８を通じて第２マジックＴ４０４の７番ポートに入力される。２番ポートを通じて出力された信号は、第１位相可変器４１２を通じて９０度位相が変わり、第１デュプレクサ４０６を通過した後、また第２位相可変器４１４を通じて９０度位相が変わった状態で第２マジックＴ４０４の６番ポートに入力される。これによって、第２マジックＴ４０４の６番、７番ポートに入力される信号は、互いに位相が同一な信号となる。このように、６番、７番ポートに同一な位相の信号が入力されれば、入力された信号は互いに合成されて８番ポートを通じて出力され、アンテナを介して放射される。
【００２８】
（メインシステムの受信過程）
アンテナから受信された信号が第２マジックＴ４０４の８番ポートに入力されれば、その信号は分配されて６番、７番ポートを通じて互いに同位相状態に出力される。７番ポートを通じて出力された信号は第２デュプレクサ４０８を通じて第１マジックＴ４０２の３番ポートに入力される。第２マジックＴ４０４の６番ポートを通じて出力された信号は、第２位相可変器４１４を通じて９０度位相が変わり、第１デュプレクサ４０６を通過した後、また第１位相可変器４１２を通じて９０度位相が変わった状態で第１マジックＴ４０２の２番ポートに入力される。これによって、第１マジックＴ４０２の２番、３番ポートに入力される信号は、互いに位相が１８０度の位相差を有する信号となり、その信号は互いに合成されて１番ポートを通じて出力される。１番ポートを通じて出力された受信信号は、第３デュプレクサ２２２を通じてメインシステム２２の受信段に入力される。
【００２９】
（追加システムの送信過程）
追加システム２４から出力された送信信号（ＴＸ２）は、第４デュプレクサ２４２を通じて第２マジックＴ４０４の５番ポートに入力される。５番ポートに入力された送信信号は分配されて６番、７番ポートを通じて出力されるが、１８０度位相差を持って出力される。７番ポートを通じて出力された信号は、第２デュプレクサ４０８を通過できないし、全反射されて、また７番ポートに入力される。６番ポートを通じて出力された信号は、第２位相可変位相器４１４を通じて９０度位相が可変された状態になるが、やはり第１デュプレクサ４０６を通過できないし、全反射されるが、第２位相可変位相器４１４をまた通過しながら９０度位相が可変された状態で６番ポートに入力される。これによって、第２マジックＴ４０４の６番、７番ポートに入力される信号は同位相の信号となり、互いに合成されて８番ポートを通じて出力され、アンテナを介して放射される。
【００３０】
（追加システムの受信過程）
アンテナから受信された信号が第２マジックＴ４０４の８番ポートに入力されれば、その信号は分配されて６番、７番ポートを通じて互いに同位相状態で出力される。７番ポートから出力された信号は、第２デュプレクサ４０８を通過できないし、全反射されて、また７番ポートに入力される。６番ポートから出力された信号は、第２位相可変器４１４を通じて９０度位相が可変されるが、やはり第１デュプレクサ４０６を通過できないし、全反射されるが、また第２位相可変器４１４を通じながら９０度位相が可変された状態で６番ポートに入力される。これによって、６番、７番ポートに入力される信号は、互いに１８０度の位相差を有する信号となり、その信号は互いに合成されて５番ポートを通じて出力される。５番ポートから出力された受信信号は、第４デュプレクサ２４２を通じて追加システム２４の受信段に入力される。
【００３１】
一方、メインシステム２２の送信信号（Ｔｘ１）が第１マジックＴ４０２を通じて出力される際、理論的には反射される信号がないので、４番ポートを通じては信号の出力があってはいけないが、実際には微弱でも４番ポートを通じて出力される送信信号（Ｔｘ１）が存在するため、これを防止するために、ロード抵抗（TERM）を４番ポートに装着してアイソレーション機能を有するように構成する。
【００３２】
本発明に係る更に他の実施形態であって、図２及び図４において、第１及び第２デュプレクサ２０６、２０８、４０６、４０８を固定フィルタでない周波数帯域可変フィルタで構成することができる。本出願人は、周波数帯域を可変させることができる周波数帯域可変フィルタに対して既に出願したことがある。これは、大韓民国特許出願第２００３−５８５５６号、第２００４−３６６２３号、第２００４−４６１０３号に詳細に説明されている。
【００３３】
第１及び第２デュプレクサ２０６、２０８、４０６、４０８を上記のような周波数帯域可変フィルタで構成すれば、メインシステム２２の送信周波数（ＴＸ１）、または追加システム２４の送信周波数（ＴＸ２）が変わってもこれに能動的に対応することができる。即ち、既存システムに他のシステムを追加する場合のみならず、既存システムの周波数帯域を変える場合にも別途の装備なしでも対応することができる。
【００３４】
図６は、本発明の第３実施形態を示すブロック構成図であって、ここに図示したように、本発明の第３実施形態に係る無線通信基地局共用化装置６０は、第３デュプレクサ２２２を含むメインシステム２２と、追加システム２６のアンテナを共用化するための構成を有する。このような基地局共用化装置６０は、第３デュプレクサを含むメインシステムと、追加システムと、１番ポートに入力される第３デュプレクサ２２２の送信信号、及び４番ポートに入力されるアンテナ受信信号を分配して互いに異なる位相差で出力する第１ハイブリッドカプラ６０２と、第１ハイブリッドカプラ６０２の２番ポート出力信号を入力されて、これをフィルタリングして出力する第１バンドパスフィルタ６０６と、第１ハイブリッドカプラ６０２の３番ポート出力信号を入力されて、これをフィルタリングして出力する第２バンドパスフィルタ６０８と、第１及び第２バンドパスフィルタ６０６、６０８からの出力信号を６番ポート及び７番ポートに入力されて、これを合成して出力する第２ハイブリッドカプラ６０４と、第２ハイブリッドカプラ６０４の５番ポートと追加システム２６と連結された第４デュプレクサ６２２と、第４デュプレクサ６２２内の受信部（Ｒｘ）と追加システム２６との間に連結されて、第４デュプレクサ６２２の受信部（Ｒｘ）の出力信号を分配して出力する分配器６２４と、分配器６２４の一側出力信号を入力されて、これをフィルタリングして第１ハイブリッドカプラ６０２の４番ポートに印加する受信フィルタ６２６で構成する。
【００３５】
アンテナは、第２ハイブリッドカプラ６０４の８番ポートと連結される。第３及び第４デュプレクサ２２２、６２２内の受信部（Ｒｘ）及び受信フィルタ６２６は、メインシステム２２及び追加システム２６の２つの受信周波数を全て通過させるフィルタで構成することもでき、メインシステム２２及び追加システム２６が属する特定帯域（例えば、ＰＣＳ帯域）の受信周波数帯域を全て通過させることができるフル帯域受信フィルタで構成することができる。第１及び第２バンドパスフィルタ６０６、６０８は、メインシステム２２の送信周波数帯域のみを通過させるフィルタで構成する。
【００３６】
この際、メインシステム２２と追加システム２６の位置を変えれば、第１及び第２バンドパスフィルタ６０６、６０８は、追加システム２６の送受信周波数のみを通過させるフィルタで構成することができる。第４デュプレクサ６２２は、追加システム２６に既に設置されていれば省略することができる。勿論、この場合に追加システム２６は分配器６２４を具備しなければならない。
以下、動作を説明すれば次の通りである。
【００３７】
（メインシステムの送信過程）
メインシステム２２の送信信号（ＴＸ１）が第３デュプレクサ２２２を通過して第１ハイブリッドカプラ６０２の１番ポートに入力されれば、その信号は２番、３番ポートに分配されて表れるが、２番ポートには９０度、３番ポートには１８０度位相可変されて出力される。即ち、９０度の位相差を持って出力される。２番、３番ポートの出力信号は、メインシステム２２の送信信号（Ｔｘ１）のみを通過させる第１及び第２バンドパスフィルタ６０６、６０８を通過して第２ハイブリッドカプラ６０４の６番、７番ポートに入力される。第２ハイブリッドカプラ６０４の６番、７番ポートを通じて入力された信号は互いに合成されて８番ポートを通じて出力されてアンテナを介して放射される。
【００３８】
（メインシステムの受信過程）
アンテナから受信された信号は、第２ハイブリッドカプラ６０４の８番ポートに入力されて６番、７番ポートに分配されて出力される。この際、７番ポートは、９０度、６番ポートは１８０度位相可変されて出力される。即ち、９０度の位相差を持って出力される。６番、７番ポートを通じて出力された信号は、第１及び第２バンドパスフィルタ６０６、６０８を通過できないし、全反射されて、また６番、７番ポートに入力される。６番、７番ポートに入力された信号は互いに合成されて５番ポートを通じて出力される。５番ポートを通じて出力された受信信号は、第４デュプレクサ６２２を通じ、分配器６２４を通じて分配されて出力される。分配器６２４から出力された受信信号中の１つは、追加システム２６に印加され、もう１つは受信フィルタ６２６を通過して第１ハイブリッドカプラ６０２の４番ポートに入力される。４番ポートに入力された信号は分配されて互いに９０度の位相差を持って２番、３番ポートを通じて出力される。２番、３番ポートを通じて出力された信号は、第１及び第２バンドパスフィルタ６０６、６０８を通過できないし、全反射されて、また２番、３番ポートに入力される。２番、３番ポートに入力された信号は互いに合成されて１番ポートを通じて出力される。１番ポートを通じて出力された信号は、第３デュプレクサ２２２を通じてメインシステム２２に受信される。
【００３９】
（追加システムの送信過程）
追加システム２６の送信信号（ＴＸ２）は、第４デュプレクサ６２２を通過して第２ハイブリッドカプラ６０４の５番ポートに入力される。５番ポートに入力された信号は分配されて６番、７番ポートに出力される。この際、６番ポートには９０度、７番ポートには１８０度位相可変されて出力される。即ち、９０度の位相差を持って出力される。６番、７番ポートを通じて出力された信号は、第１及び第２バンドパスフィルタ６０６、６０８を通過できないし、全反射されて、また６番、７番ポートに入力される。６番、７番ポートに入力された信号は互いに合成されて８番ポートに出力され、アンテナを介して放射される。
【００４０】
（追加システムの受信過程）
アンテナから受信された信号は、第２ハイブリッドカプラ６０８の８番ポートに入力されて６番、７番ポートに分配されて出力される。この際、６番ポートは１８０度、７番ポートは９０度位相可変されて出力される。即ち、９０度の位相差を持って出力される。６番、７番ポートを通じて出力された信号は、第１及び第２バンドパスフィルタ６０６、６０８を通過できないし、全反射されて、また６番、７番ポートに入力される。６番、７番ポートに入力された信号は、互いに合成されて５番ポートを通じて出力される。５番ポートを通じて出力された受信信号は、第４デュプレクサ６２２を通じ、分配器６２４を通じて追加システム２６の受信段に入力される。
【００４１】
一方、メインシステム２２の送信信号（Ｔｘ１）が第１ハイブリッドカプラ６０２を通じて出力される際、理論的には反射される信号がないので、４番ポートを通じては信号の出力があってはいけないが、実際には微弱でも４番ポートを通じて出力される送信信号（Ｔｘ１）が存在するため、これを防止するために、図７に示すように、受信フィルタ６２６と第１ハイブリッドカプラ６０２の４番ポートとの間にアイソレーション機能を有するサーキュレータ６２８を追加的に設置することができる。
【００４２】
図８は、本発明の第４実施形態を示すブロック構成図であって、ここに図示したように、本発明の第４実施形態に係る無線通信基地局共用化装置８０は、第３デュプレクサ２２２を含むメインシステム２２と、追加システム２６のアンテナを共用化するための構成を有する。このような基地局共用化装置８０は、第３デュプレクサを含むメインシステムと、追加システムと、１番ポートに入力される第３デュプレクサ２２２の送信信号を分配して互いに異なる位相差で２番及び３番ポートに出力し、４番ポートに入力されるアンテナ受信信号を分配して互いに異なる位相差で同位相状態で２番及び３番ポートに出力する第１マジックＴ８０２と、第１マジックＴ８０２の２番ポート出力信号を入力されて、その位相を可変して出力する第１位相可変器８１２と、第１位相可変器８１２の出力信号をフィルタリングして出力する第１バンドパスフィルタ８０６と、第１バンドパスフィルタ８０６の出力信号の位相を可変する第２位相可変器８１４と、第１マジックＴ８０２の３番ポート出力信号を入力されて、これをフィルタリングして出力する第２バンドパスフィルタ８０８と、第２位相可変器８１４と第２バンドパスフィルタ８０８から出力信号を６番ポート、７番ポートに入力されて、これを合成して出力する第２マジックＴ８０４と、第２マジックＴ８０４の５番ポートと追加システム２６との間に連結された第４デュプレクサ８２２と、第４デュプレクサ８２２内の受信部（Ｒｘ）と追加システム２６との間に連結されて第４デュプレクサ８２２の受信部（Ｒｘ）の出力信号を分配して出力する分配器８２４と、分配器８２４の一側出力信号を入力されて、これをフィルタリングして第１マジックＴ８０２の４番ポートに印加する受信フィルタ８２６で構成する。
【００４３】
アンテナは、第２マジックＴ８０４の８番ポートと連結される。第３及び第４デュプレクサ２２２、８２２内の受信部（Ｒｘ）及び受信フィルタ８２６は、メインシステム２２及び追加システム２６の２つの受信周波数を全て通過させる受信フィルタで構成することもでき、メインシステム２２及び追加システム２６が属する特定帯域（例えば、ＰＣＳ帯域）の受信周波数帯域を全て通過させることができるフル帯域のフィルタで構成することができる。第１及び第２バンドパスフィルタ８０６、８０８は、メインシステム２２の送信周波数帯域のみを通過させるフィルタで構成する。この際、メインシステム２２と追加システム２６の位置を変えれば、第１及び第２バンドパスフィルタ８０６、８０８は、追加システム２６の送受信周波数のみを通過させるフィルタで構成することができる。追加システム２６に第４デュプレクサ８２２のようなフィルタが既に設置されていれば、第４デュプレクサ６２２は省略することができる。
以下、動作を説明すれば次の通りである。
【００４４】
（メインシステムの送信過程）
メインシステム２２の送信信号（ＴＸ１）は、第３デュプレクサ２２２を通じて第１マジックＴ８０２の１番ポートに入力される。１番ポートに入力された信号は、２つの信号に分配されて２番、３番ポートを通じて出力されるが、互いに１８０度の位相差を持って出力される。３番ポートを通じて出力された信号は、第２バンドパスフィルタ８０８を通じて第２マジックＴ８０４の７番ポートに入力される。２番ポートを通じて出力された信号は、第１位相可変器８１２を通じて９０度位相が変わり、第１バンドパスフィルタ８０６を通過した後、また第２位相可変器８０８を通じて９０度位相が変わった状態で第２マジックＴ８０４の６番ポートに入力される。これによって、第２マジックＴ８０４の６番、７番ポートに入力される信号は互いに位相が同一な信号となる。このように、６番、７番ポートに位相が同一な信号が入力されれば、入力された信号は互いに合成されて８番ポートを通じて出力され、アンテナを介して放射される。
【００４５】
（メインシステムの受信過程）
アンテナから受信された信号が第２マジックＴ８０４の８番ポートに入力されれば、その信号は分配されて６番、７番ポートを通じて互いに同位相状態で出力される。７番ポートから出力された信号は、第２バンドパスフィルタ８０８を通過できないし、全反射されて、また７番ポートに入力される。６番ポートから出力された信号は、第２位相可変器８１４を通じて９０度位相が可変され、やはり第１バンドパスフィルタ８０６を通過できないし、全反射されるが、第２位相可変器８１４を通じてもう一度９０度位相が可変されて、即ち、初めより１８０度可変されて６番ポートに入力される。これによって、７番、６番ポートに入力される信号は、互いに１８０度の位相差を持つ信号となり、その信号は互いに合成されて５番ポートを通じて出力される。５番ポートから出力された受信信号は、第４デュプレクサ８２２を通じ、分配器８２４を通じて２つの信号に分配されて出力される。分配器８２４から出力された信号中の１つは追加システム２６に印加され、もう１つは受信フィルタ８２６を通じて第１マジックＴ８０２の４番ポートに入力される。４番ポートに入力された信号は、分配されて２番、３番ポートを通じて出力されるが、同位相の信号で出力される。３番ポートから出力された信号は、第２バンドパスフィルタ８０８を通過できないし、全反射されて、また３番ポートに入力される。２番ポートから出力された信号は、第１位相可変器８１２を通じて９０度位相が変わった状態になるが、やはり第１バンドパスフィルタ８０６を通過できないし、全反射されて、また第１位相可変位相器８１２を通じて９０度位相が可変された状態で２番ポートに入力される。これによって、２番、３番ポートに入力された信号は、互いに１８０度の位相差を有する信号となり、２つの信号は互いに合成されて１番ポートに出力される。１番ポートを通じて出力された受信信号は、第３デュプレクサ２２２を通じてメインシステム２２の受信段に入力される。
【００４６】
（追加システムの送信過程）
追加システム２６から出力された送信信号（ＴＸ２）は、第４デュプレクサ８２２を通じて第２マジックＴ８０４の５番ポートに入力される。５番ポートに入力された送信信号は分配されて６番、７番ポートを通じて出力されるが、１８０度の位相差を持って出力される。７番ポートを通じて出力された信号は、第２バンドパスフィルタ８０８を通過できないし、全反射されて、また７番ポートに入力される。６番ポートを通じて出力された信号は、第２位相可変位相器８１４を通じて９０度位相が可変された状態になるが、やはり第１バンドパスフィルタ８０６を通過できないし、全反射されるが、第２位相可変位相器８１４をまた通過しながら９０度位相が可変された状態で６番ポートに入力される。これによって、６番、７番ポートに入力された信号は、同位相の信号となり、互いに合成されて８番ポートを通じて出力され、アンテナを介して放射される。
【００４７】
（追加システムの受信過程）
アンテナから受信された信号が第２マジックＴ８０４の８番ポートに入力されれば、その信号は分配されて６番、７番ポートを通じて互いに同位相状態で出力される。７番ポートから出力された信号は、第２バンドパスフィルタ８０８を通過できないし、全反射されて、また７番ポートに入力される。６番ポートから出力された信号は、第２位相可変器８１４を通じて９０度位相が可変されるが、やはり第１バンドパスフィルタ８０６を通過できないし、全反射なるが、また第２位相可変器８１４を通じながら９０度位相が可変された状態で６番ポートに入力される。これによって、６番、７番ポートに入力される信号は、互いに１８０度の位相差を持つ信号となり、その信号は互いに合成されて５番ポートを通じて出力される。５番ポートから出力された受信信号は、第４デュプレクサ８２２を通じ、分配器８２４を通じて２つの信号に分配されて出力される。分配器８２４から出力された信号中の１つは追加システム２６の受信段に入力される。
【００４８】
一方、メインシステム２２の送信信号（Ｔｘ１）が第１マジックＴ８０２を通じて出力される際、理論的には反射される信号がないので、４番ポートを通じては信号の出力があってはいけないが、実際には微弱でも４番ポートを通じて出力される送信信号（Ｔｘ１）が存在するため、これを防止するために、図９に示すように、受信フィルタ８２６と第１マジックＴ８０２の４番ポートとの間にアイソレーション機能を有するサーキュレータ８２８を追加的に設置することができる。
【００４９】
本発明に係る更に他の実施形態として、第１及び第２バンドパスフィルタ８０６、８０８を固定フィルタでない周波数帯域可変フィルタで構成することができる。第１及び第２バンドパスフィルタ８０６、８０６を上記のような周波数帯域可変フィルタで構成すれば、メインシステム２２の送信周波数（ＴＸ１）、または追加システム２６の送信周波数（ＴＸ２）が変わってもこれに能動的に対応することができる。即ち、既存基地局システムに周波数帯域が他の基地局システムを追加する場合のみならず、既存基地局システムの周波数帯域を変える場合にも能動的に対応して設置することができる。
【００５０】
図１０は、本発明の第５実施形態を示すブロック構成図であって、ここに図示したように、本発明の第４実施形態に係る無線通信基地局共用化装置９０は、第３デュプレクサ２２２を含むメインシステム２２と、追加システム２６のアンテナを共用化するための構成を有する。このような基地局共用化装置８０は、４番ポートに入力される第３デュプレクサ２２２の送信信号を分配して、同位相状態で３番及び４番ポートに出力し、１番ポートに入力される信号を分配して互いに異なる位相差で出力する第１マジックＴ９０２と、第１マジックＴ９０２の３番ポート出力信号を入力されて、その位相を可変して出力する第１位相可変器９１２と、第１位相可変器９１２の出力信号をフィルタリングして出力する第２バンドパスフィルタ９０８と、第１マジックＴ９０２の２番ポート出力信号を入力されて、フィルタリングする第１バンドパスフィルタ９０６と、第１バンドパスフィルタ９０６の出力信号の位相を可変する第２位相可変器９１４と、第２位相可変器９１４と第２バンドパスフィルタ９０８から出力信号を６番ポート、７番ポートに入力されて、これを合成して出力する第２マジックＴ９０４と、第２マジックＴ９０４の５番ポートと追加システム２６との間に連結された第４デュプレクサ９２２と、第４デュプレクサ９２２内の受信部（Ｒｘ）と追加システム２６との間に連結されて第４デュプレクサ９２２の受信部（Ｒｘ）の出力信号を分配して出力する分配器９２４と、分配器９２４の一側出力信号を入力されて、これをフィルタリングして第１マジックＴ９０２の１番ポートに印加する受信フィルタ９２６で構成する。
【００５１】
アンテナは、第２マジックＴ９０４の８番ポートと連結される。第３及び第４デュプレクサ２２２、９２２内の受信部（Ｒｘ）及び受信フィルタ９２６は、メインシステム２２及び追加システム２６の２つの受信周波数を全て通過させる受信フィルタで構成することもでき、メインシステム２２及び追加システム２６が属する特定帯域（例えば、ＰＣＳ帯域）の受信周波数帯域を全て通過させることができるフル帯域のフィルタで構成することもできる。第１及び第２バンドパスフィルタ９０６、９０８は、メインシステム２２の送信周波数帯域のみを通過させるフィルタで構成する。この際、メインシステム２２と追加システム２６の位置を変えれば、第１及び第２バンドパスフィルタ９０６、９０８は、追加システム２６の送受信周波数のみを通過させるフィルタで構成することもできる。追加システム２６に第４デュプレクサ９２２のようなフィルタが既に設置されていれば、第４デュプレクサ９２２の構成を省略することができる。
以下、動作を説明すれば次の通りである。
【００５２】
（メインシステムの送信過程）
メインシステム２２の送信信号（ＴＸ１）は、第３デュプレクサ２２２を通じて第１マジックＴ９０２の４番ポートに入力される。４番ポートに入力された信号は、２つの信号に分配されて２番、３番ポートを通じて出力されて互いに同位相状態で出力される。３番ポートを通じて出力された信号は、第１位相可変器９１２を通じて９０度位相が変わり、第２バンドパスフィルタ９０８を通じて第２マジックＴ９０４の７番ポートに入力される。２番ポートを通じて出力された信号は、第１バンドパスフィルタ９０６を通過した後、また第２位相可変器９１４を通じて９０度位相が変わった状態で第２マジックＴ９０４の６番ポートに入力される。これによって、第２マジックＴ９０４の６番、７番ポートに入力される信号は、互いに位相が同一な信号となる。このように、６番、７番ポートに位相が同一な信号が入力されれば、入力された信号は互いに合成されて８番ポートを通じて出力され、アンテナを介して放射される。
【００５３】
（メインシステムの受信過程）
アンテナから受信された信号が第２マジックＴ０４の８番ポートに入力されれば、その信号は分配されて６番、７番ポートを通じて互いに同位相状態で出力される。７番ポートから出力された信号は、第２バンドパスフィルタ９０８を通過できないし、全反射されて、また７番ポートに入力される。６番ポートから出力された信号は、第２位相可変器９１４を通じて９０度位相が可変され、やはり第１バンドパスフィルタ９０６を通過できないし、全反射されるが、第２位相可変器９１４を通じてもう一度９０度位相が可変されて、即ち、初めより１８０度可変されて６番ポートに入力される。これによって、７番、６番ポートに入力される信号は、互いに１８０度の位相差を有する信号となり、その信号は互いに合成されて５番ポートを通じて出力される。５番ポートから出力された受信信号は、第４デュプレクサ９２２を通じ、分配器９２４を通じて２つの信号に分配されて出力される。分配器９２４から出力された信号中の１つは追加システム２６に印加され、もう１つは受信フィルタ９２６を通じて第１マジックＴ９０２の１番ポートに入力される。１番ポートに入力された信号は分配されて２番、３番ポートを通じて出力されるが、互いに１８０度の位相差を持って出力される。２番ポートから出力された信号は、第１バンドパスフィルタ９０６を通過できないし、全反射されて、また２番ポートに入力される。３番ポートから出力された信号は、第１位相可変器９１２を通じて９０度位相が変わった状態になるが、やはり第１バンドパスフィルタ９０６を通過できないし、全反射されて、また第１位相可変器９１２を通じて９０度位相が可変された状態で２番ポートに入力される。これによって、２番、３番ポートに入力された信号は互いに同位相を有する信号となり、２つの信号は互いに合成されて４番ポートに出力される。４番ポートを通じて出力された受信信号は、第３デュプレクサ２２２を通じてメインシステム２２の受信段に入力される。
【００５４】
（追加システムの送信過程）
追加システム２６から出力された送信信号（ＴＸ２）は、第４デュプレクサ９２２を通じて第２マジックＴ９０４の５番ポートに入力される。５番ポートに入力された送信信号は分配されて６番、７番ポートを通じて出力されるが、１８０度の位相差を持って出力される。７番ポートを通じて出力された信号は、第２バンドパスフィルタ９０８を通過できないし、全反射されて、また７番ポートに入力される。６番ポートを通じて出力された信号は、第２位相可変器９１４を通じて９０度位相が可変された状態になるが、やはり第１バンドパスフィルタ９０６を通過できないし、全反射されるが、第２位相可変器９１４をまた通過しながら９０度位相が可変された状態で６番ポートに入力される。これによって、６番、７番ポートに入力された信号は、同位相の信号となり、互いに合成されて８番ポートを通じて出力され、アンテナを介して放射される。
【００５５】
（追加システムの受信過程）
アンテナから受信された信号が第２マジックＴ９０４の８番ポートに入力されれば、その信号は分配されて６番、７番ポートを通じて互いに同位相状態で出力される。７番ポートから出力された信号は、第２バンドパスフィルタ９０８を通過できないし、全反射されて、また７番ポートに入力される。６番ポートから出力された信号は、第２位相可変器９１４を通じて９０度位相が可変されるが、やはり第１バンドパスフィルタ９０６を通過できないし、全反射されるが、また第２位相可変器９１４を通じながら９０度位相が可変された状態で６番ポートに入力される。これによって、６番、７番ポートに入力される信号は、互いに１８０度の位相差を持つ信号となり、その信号は互いに合成されて５番ポートを通じて出力される。５番ポートから出力された受信信号は、第４デュプレクサ９２２を通じ、分配器９２４を通じて２つの信号に分配されて出力される。分配器９２４から出力された信号中の１つは追加システム２６の受信段に入力される。
【００５６】
一方、メインシステム２２の送信信号（Ｔｘ１）が第１マジックＴ９０２を通じて出力される際、理論的には反射される信号がないので、４番ポートを通じては信号の出力があってはいけないが、実際には微弱でも４番ポートを通じて出力される送信信号（Ｔｘ１）が存在するため、これを防止するために、図１１に図示したように、受信フィルタ９２６と第１マジックＴ９０２の４番ポートとの間にアイソレーション機能を有するサーキュレータ９２８を追加的に設置することができる。
【００５７】
本発明に係る更に他の実施形態として、第１及び第２バンドパスフィルタ９０６、９０８を固定フィルタでない周波数帯域可変フィルタで構成することもできる。第１及び第２バンドパスフィルタ９０６、９０８を上記のような周波数帯域可変フィルタで構成すれば、メインシステム２２の送信周波数（ＴＸ１）、または追加システム２６の送信周波数（ＴＸ２）が変わっても、これに能動的に対応することができる。即ち、既存基地局システムに周波数帯域が他の基地局システムを追加する場合のみならず、既存基地局システムの周波数帯域を変える場合にも能動的に対応して設置することができる。
【００５８】
上記のように本発明の一実施形態に係る構成及び動作がなされることができ、一方、前述した本発明の説明では、具体的な実施形態に関して説明したが、種々の変形が本発明の範囲から外れない範囲で実施されることができる。よって、本発明の真の技術的な範囲は上述の実施形態によって定まるものではなく、特許請求の範囲とその均等物によって定まるべきである。
【図面の簡単な説明】
【００５９】
【図１Ａ】従来のアンテナ共用方法を概略的に示すブロック図である。
【図１Ｂ】従来のアンテナ共用方法を概略的に示すブロック図である。
【図１Ｃ】従来のアンテナ共用方法を概略的に示すブロック図である。
【図２】本発明の第１実施形態に係る無線通信基地局共用化装置のブロック構成図である。
【図３】図２において、ハイブリッドカプラの概略的な動作説明図である。
【図４】本発明の第２実施形態に係る無線通信基地局共用化装置のブロック構成図である。
【図５】図４において、マジックＴの概略的な動作説明図である。
【図６】本発明の第３実施形態に係る無線通信基地局共用化装置のブロック図である。
【図７】図６において、サーキュレータを追加設置したブロック構成図である。
【図８】本発明の第４実施形態に係る無線通信基地局共用化装置のブロック構成図である。
【図９】図８において、サーキュレータを追加設置したブロック構成図である。
【図１０】本発明の第５実施形態に係る無線通信基地局共用化装置のブロック構成図である。
【図１１】図１０において、サーキュレータを追加設置したブロック構成図である。
【符号の説明】
【００６０】
２０  無線基地局共用化装置
２２  メインシステム
２４  追加システム
２０２  第１ハイブリッドカプラ
２０４  第２ハイブリッドカプラ
２０６  第１デュプレクサ
２０８  第２デュプレクサ
２２２  第３デュプレクサ
２４２  第４デュプレクサ
【図１Ａ】
2008526155.tif 000003
【図１Ｂ】
2008526155.tif 000004
【図１Ｃ】
2008526155.tif 000005
【図２】
2008526155.tif 000006
【図３】
2008526155.tif 000007
【図４】
2008526155.tif 000008
【図５】
2008526155.tif 000009
【図６】
2008526155.tif 000010
【図７】
2008526155.tif 000011
【図８】
2008526155.tif 000012
【図９】
2008526155.tif 000013
【図１０】
2008526155.tif 000014
【図１１】
2008526155.tif 000015
【国際調査報告】
2008526155.tif 000016
2008526155.tif 000017